(57)【要約】      （修正有）【課題】先端をしっかりと固定してから巻き始めると共に荷物の大小に係らず後端部を複数個の伸縮バンドを介して任意の場所で面ファスナーで固定することにより、強固に荷物を保持できる荷崩れ防止バンドを提供する。【解決手段】積載した複数個の荷物の隙間に荷崩れ防止バンドの差込部を差し込み、管８の両端を持ち手の中で転がしながら荷物に巻いて行き管の中心を持ってバンドが緩まないようにして伸縮バンドに縫製してある接着面ファスナーＡ面３−２、接着面ファスナーＡ面３−１，接着面ファスナーＡ面３−３の順で接着面ファスナーＡ面をバンド部面ファスナーＢ面１の任意の位置に接着又は剥離させて繰り返し使用することが出来る。【選択図】図１
0003172486.tif 000002
【実用新案登録請求の範囲】
【請求項１】
先端の差込部に板材からなる差込用シートを備え、中間部は外表面が面ファスナーＢ面からなり、終端の接着部には複数本の先端に接着面ファスナーＡ面を縫合した伸縮バンドを縫合したことを特徴とする荷崩れ防止バンド。
【請求項２】
バンド部は面ファスナーＢ面とし先端に向って狭巾化して収納面ファスナーＡ面を縫合した板材からなる差込用シートへ接続し、中間部は外表面がすべて面ファスナーＢ面のバンド部からなり、終端の接着部のバンド部は両面とも面ファスナーＢ面として複数本の先端に接着面ファスナーＡ面を縫合した伸縮バンドと安定用シートを併せて縫合し、差込部とバンド部及びバンド部と接着部を縫合したことを特徴とする荷崩れ防止バンド。
【請求項３】
非使用時には表面に面ファスナーＡ面を接着した管に巻回収納もしくは巻回終端の安定用シートを使用し巻回収納されることを特徴とする請求項２に記載の荷崩れ防止バンド。
【考案の詳細な説明】
【技術分野】
【０００１】本考案は荷物の荷崩れ防止のため巻き付けるストレッチフィルムの代替となり、なおかつ繰り返し使用出来、一人でも容易に巻き付けが可能な荷崩れ防止バンドに関する。
【背景技術】
【０００２】積載台に重ねて搭載した荷物を搬送する場合、リフトの振動やトラックの振動などから何らかの手段にて荷物が崩れないように固定しなければ荷崩れにより商品の損壊と同時に大変危険なものとなるので荷崩れ防止策が必要であった。【０００３】  従来、ストレッチフィルムの代替としてバンド端に３本の伸縮ベルトと面ファスナーを備えて係合する面ファスナーＡＢ面を１本ずつ締め増しが可能な荷崩れ防止バンドはあった。
【先行技術文献】
【特許文献】
【特許文献】特開平１１−１４７５３１
【考案の概要】
【０００４】本文では布の表面に特殊な加工を施し接着・剥離が繰り返し可能な布を面ファスナーと呼びその片方のオス側を面ファスナーＡ面、メス側を面ファスナーＢ面と呼ぶこととする。
【考案が解決しようとする課題】
【０００５】しかしながら上記特許では単にバンドを吊り下げるのみであり巻き始め部の固定が安定せず荷物の形状が変わると巻き始め部の固定が困難であった。【０００６】又、荷崩れの防止するバンドは荷物の外周長さと調整代の制限があり、長さによっては何種類もバンドを用意しなくてはない制約があった。【０００７】さらに収納に関しても従来存在するバンド、ベルトは収納の際の方法が明確でなく、使用しない時に作業の邪魔になる事が考えられていた。
【課題を解決するための手段】
【０００８】上記課題を解決するために本考案は、ストレッチフィルムと同様な使い方、すなわち積載した複数個の荷物Ａに荷崩れ防止バンドの先端、差込シート８を差し込み、管１２の両端を持ち手の中で転がしながら荷物に巻いていき、管１２の中心を持ってバンドが緩まないようにしながら伸縮バンド２に縫製してある接着面ファスナーＡ面３−２、接着面ファスナーＡ面３−１，接着面ファスナーＡ面３−３の順で接着面ファスナーＡ面をバンド部面ファスナーＢ面１の対応する任意の部分に接着又は剥離させることが出来るようにしたものである。
【考案の効果】
【０００９】本考案によれば、複数個の積載された荷物にストレッチフィルムと同等の作業で容易に装着でき複数個の荷物の外周が異なっても同一のバンドの使用が可能で、繰り返し使用でき環境に配慮することが出来る。【００１０】また本考案によれば使用しない場合には巻物状に収納できるので取り扱い性が向上する。
【図面の簡単な説明】
【００１１】
【図１】本考案荷崩れ防止バンドの一形態例を示す斜視図である。
【図２】本考案荷崩れ防止バンドの使用状態を示す斜視図である。
【図３】本考案荷崩れ防止バンドのＩＩＩ〜ＩＩＩの部分断面図である。
【図４】本考案荷崩れ防止バンドの収納状態を示す斜視図である。
【図５】本考案荷崩れ防止バンドの収納状態を示す他の斜視図である。
【図６】シート差込の使用状態を示す斜視図である。
【図７】シート差込の使用状態を示す他の斜視図である。
【図８】シート差込さらに他の使用状態を示す斜視図である。
【図９】本考案荷崩れ防止バンドの巻取り管の一形態例を示す斜視図である。
【考案を実施するための形態】
【実施例】
【００１２】以下、本発明の一実施の形態例を図面に基づき説明する。図１は本考案荷崩れ防止バンドの一実施例を示す斜視図、図２は同上の使用状態を示す斜視図、図４、図５は同上の収納状態を示す斜視図である。【００１３】図１は本考案の斜視図である。一般的なパレットサイズは１．１ｍ角、周囲が４．４ｍ程度であり重なり代を考慮して全長５ｍ程度になるが本発明は大型のパレットや高さの高い荷物に幾重にも巻き付ける場合にもバンド部面ファスナーＢ面１の長さを大幅に変更することで対応出来る。【００１４】他の方法として、一種類の長さでも荷崩れ防止バンド同士の先後端を接着することで長尺化も可能である。【００１５】縫製部１０、１１を設けたのは先端及び後端の細かい作業を小さい部品の状態で作成し最後に一体となるよう縫合することで製造を容易にするためであるが縫製部１０、１１をやめて一体のバンド部５に差込部６及び接着部７の加工を施してもよい。【００１６】差込部においてバンド部は５０ｃｍ巾程度の面ファスナーＢ面１とし、先端部は先細に加工されて１５ｃｍの四角形程度の差込シート８を収納し、背の低い荷物の場合でも対応が出来るようにしている。【００１７】接着部において本図では安定用シート９に３本の織ゴム等からなる伸縮バンド２を経由して接着面ファスナーＡ面３縫合する例を示している。【００１８】図３は差込シート８を芯として片面に収納面ファスナーＡ面４を縫合したバンド部面ファスナーＢ面で包み込むように縫合していることを示している。【００１９】安定用シート９は図３と同様に面ファスナーＢ面１の布状のパイル地で包み込み荷物に傷をつけないようにし、又シート材が中で動かないように縫製している。【００２０】差込シート８や安定用シート９は適度な弾性を持つ数ミリ厚の板材を用いるが特に樹脂の中でも低発泡ポリエチレンシートを用いると直接工業用ミシンで縫合が可能で好適である。【００２１】図５は図９の管が無い状態で収納した場合の図で軽負荷での対応に対しては管１２が必要なく安定用シート９を芯材として使用し収納できることを示す。【００２２】図６、図７、図８は荷崩れ防止バンドを一人で容易に巻く為、荷姿に対して異なる方法を示した図である。【００２３】図６は、積載された荷物の両側面に差込み仮止めをする方法である。
段ボール箱入り荷物では荷箱間に垂直な隙間が発生するのでその隙間に差込シート８を挿入し始点とすることが出来る。【００２４】図７は、積載された荷物の上下間に差込み仮止めをする方法である。
袋入り荷物では荷袋間の水平隙間が固定に好適で水平隙間に差込シート８を挿入して始点とすることができる。【００２５】図８は、積載された荷物にＰＰバンドが装着されていた場合でＰＰバンドの裏側より差込シート８を差し込み折り返して収納面ファスナーＡ面４で接着し仮止めをする方法である。【００２６】上記の図６、図７、図８に示す方法により仮止めをし図９の管１２の上下を両手で持ち手の中で転がしながら積載された複数の荷物の外側を巻いていく、帯状のバンド部面ファスナーＢ面１が巻き終わると図９の管用面ファスナーＡ面１３の部分が安定用シート９の場所に接着されているので片手で図９の管の中心を持ちもう一方の手で伸縮バンド２を３枚とも内側より剥離し接着面ファスナーＡ面３−２、接着面ファスナーＡ面３−１、接着面ファスナーＡ面３−３の順番で伸縮バンド２を引っ張りながらバンド部面ファスナーＢ面１に接合する、この時３枚の伸縮バンド２がバンド部面ファスナーＢ面１に接着されているので締付け力の弱いものから順に接着面ファスナーＡ面３を１枚ずつ剥離して増し締めが容易に出来る。安定用シート９にシート材が縫製されているためバンド部面ファスナーＢ面１が片側に寄る事をふせいでくれる。又バンド部面ファスナーＢ面１のパイル加工は全面に施されているので接着面ファスナーＡ面３を接着する場合、場所の考慮はしなくて良い為、長さの心配をすることなく簡単に装着できる。【００２７】収納は、図９の管用面ファスナーＡ面１３を図２の安定用シート９を包む面ファスナーＢ面部分に接着し接着面ファスナーＡ面３−２，接着面ファスナーＡ面３−１，接着面ファスナーＡ面３−３を剥し内側に接着しておく、管１２の上下を両手で持ち管に巻き取っていき収納面ファスナーＡ面４の面ファスナーを差込部６の裏側の面ファスナーＢ面１の部分に接着させるとコンパクトに収納できる。
【符号の説明】Ａ      荷物
Ｂ      袋入り荷物
Ｃ      ＰＰバンド
１      バンド部面ファスナーＢ面
２      伸縮バンド
３      接着面ファスナーＡ面
４      収納面ファスナーＡ面
５      バンド部
６      差込部
７      接着部
８      差込シート
９      安定用シート
１０    差込部接続部
１１    接着部接続部
１２    管
１３    管用面ファスナーＡ面
【図１】
0003172486.tif 000003
【図２】
0003172486.tif 000004
【図３】
0003172486.tif 000005
【図４】
0003172486.tif 000006
【図５】
0003172486.tif 000007
【図６】
0003172486.tif 000008
【図７】
0003172486.tif 000009
【図８】
0003172486.tif 000010
【図９】
0003172486.tif 000011